(57)【特許請求の範囲】
【請求項１】
複数の容器を保持するキャリアであって、
該キャリアの内側の周りに少なくとも部分的に延在する複数のパネルであって、少なくとも１つのボトムパネル、第１のサイドパネル、第２のサイドパネル及び少なくとも２つの端部パネルを含む、複数のパネルと、
少なくとも前記第１のサイドパネル又は前記第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップと、
該キャリアの内部を前方部分及び後方部分に分割する中心仕切り壁であって、前記少なくとも１つの仕切りフラップの前記少なくとも１つの端部セグメントを少なくとも含む、中心仕切り壁と、
前記中心仕切り壁に取り付けられているハンドルと、
を備える、キャリア。
【請求項２】
前記中心仕切り壁は、前記少なくとも２つの端部パネルのそれぞれに折り曲げ可能にそれぞれ接続されている少なくとも２つの端部クロージャーフラップを更に含み、前記少なくとも１つの仕切りフラップの前記少なくとも１つの端部セグメントの少なくとも一部は、前記少なくとも２つの端部クロージャーフラップのうちの少なくとも一方の端部クロージャーフラップに取り付けられている、請求項１に記載のキャリア。
【請求項３】
前記少なくとも１つの仕切りフラップの前記少なくとも１つの横断方向セグメントは、第１の横断方向セグメント及び第２の横断方向セグメントを含み、前記少なくとも１つの仕切りフラップの前記少なくとも１つの端部セグメントは、第１の端部セグメント及び第２の端部セグメントを含む、請求項２に記載のキャリア。
【請求項４】
前記少なくとも１つの仕切りフラップの前記第１の端部セグメントの少なくとも一部は、前記少なくとも２つの端部クロージャーフラップのうちの少なくとも第１の端部クロージャーフラップに取り付けられており、前記少なくとも１つの仕切りフラップの前記第２の端部セグメントの少なくとも一部は、前記少なくとも２つの端部クロージャーフラップのうちの少なくとも第２の端部クロージャーフラップに取り付けられている、請求項３に記載のキャリア。
【請求項５】
前記第２の端部セグメントは、前記第１の端部セグメントと少なくとも部分的に対面接触している、請求項４に記載のキャリア。
【請求項６】
前記第１の端部セグメントは、第１のタブであって、該第１のタブと前記第１の横断方向セグメントとの間に延在する切れ目線によって少なくとも部分的に画成されている第１のタブを含み、該第１のタブの少なくとも一部は前記第１の端部クロージャーフラップと対面接触して取り付けられている、請求項５に記載のキャリア。
【請求項７】
前記第２の端部セグメントは、第２のタブであって、該第２のタブと前記第２の横断方向セグメントとの間に延在する切れ目線によって少なくとも部分的に画成されている第２のタブを含み、該第２のタブの少なくとも一部は前記第１の端部セグメントに取り付けられている、請求項６に記載のキャリア。
【請求項８】
前記少なくとも１つの仕切りフラップは第１の仕切りフラップ及び第２の仕切りフラップを含み、前記第１の仕切りフラップの長手方向セグメントは前記第１のサイドパネルに折り曲げ可能に接続されており、前記第２の仕切りフラップの長手方向セグメントは前記第２のサイドパネルに折り曲げ可能に接続されており、前記第１の仕切りフラップの第１の横断方向セグメント及び第２の横断方向セグメントは、前記キャリアの前方部分に複数の前方容器コンパートメントを形成し、前記第２の仕切りフラップの第１の横断方向セグメント及び第２の横断方向セグメントは、前記キャリアの後方部分に複数の後方容器コンパートメントを形成する、請求項７に記載のキャリア。
【請求項９】
前記第１の仕切りフラップの第１の端部セグメントは、前記第２の仕切りフラップの第１の端部セグメントと少なくとも部分的に対面接触している、請求項８に記載のキャリア。
【請求項１０】
前記中心仕切り壁は、少なくとも前記第１の端部クロージャーフラップに折り曲げ可能に接続されているとともに該第１の端部クロージャーフラップと少なくとも部分的に対面接触している第３の端部クロージャーフラップと、少なくとも前記第２の端部クロージャーフラップに折り曲げ可能に接続されているとともに該第２の端部クロージャーフラップと少なくとも部分的に対面接触している第４の端部クロージャーフラップとを更に含み、前記第２の仕切りフラップの前記第１の端部セグメントの少なくとも一部は前記第３の端部クロージャーフラップに取り付けられており、前記第２の仕切りフラップの前記第２の端部セグメントの少なくとも一部は前記第４の端部クロージャーフラップに取り付けられている、請求項８に記載のキャリア。
【請求項１１】
前記ハンドルは、前記第２の端部クロージャーフラップに折り曲げ可能に接続されているとともに前記第１の端部クロージャーフラップに取り付けられている第１のハンドルフラップと、前記第４の端部クロージャーフラップに折り曲げ可能に接続されているとともに前記第１の端部クロージャーフラップに取り付けられている第２のハンドルフラップとを含む、請求項１０に記載のキャリア。
【請求項１２】
前記少なくとも２つの端部パネルは、前記第１のサイドパネルに折り曲げ可能に接続されている少なくとも１つの前方端部パネルと、前記第２のサイドパネルに折り曲げ可能に接続されている少なくとも１つの後方端部パネルとを含み、前記少なくとも２つの端部クロージャーフラップは、前記少なくとも１つの前方端部パネルに折り曲げ可能に接続されている少なくとも１つの前方端部クロージャーフラップと、前記少なくとも１つの後方端部パネルに折り曲げ可能に接続されている少なくとも１つの後方端部クロージャーフラップとを含む、請求項２に記載のキャリア。
【請求項１３】
前記少なくとも１つの前方端部クロージャーフラップは、長手方向折り線に沿って前記少なくとも１つの後方端部クロージャーフラップに折り曲げ可能に接続されており、前記少なくとも１つの前方端部クロージャーフラップは、前記少なくとも１つの後方端部クロージャーフラップに少なくとも部分的に対面接触している、請求項１２に記載のキャリア。
【請求項１４】
前記少なくとも１つの前方端部クロージャーフラップ及び前記少なくとも１つの後方端部クロージャーフラップはそれぞれ、前記ハンドルを補強するために前記長手方向折り線において折り曲げ可能に接続されている長手方向延在部分を含む、請求項１３に記載のキャリア。
【請求項１５】
前記少なくとも１つの前方端部パネルは第１の前方端部パネル及び第２の前方端部パネルを含み、前記少なくとも１つの前方端部クロージャーフラップは第１の前方端部クロージャーフラップ及び第２の前方端部クロージャーフラップを含み、前記少なくとも１つの後方端部パネルは第１の後方端部パネル及び第２の後方端部パネルを含み、前記少なくとも１つの後方端部クロージャーフラップは第１の後方端部クロージャーフラップ及び第２の後方端部クロージャーフラップを含み、前記第１の前方端部パネル及び前記第１の後方端部パネルは第１の端壁を形成し、前記第１の前方端部クロージャーフラップ及び前記第１の後方端部クロージャーフラップは第１の端部支持壁を形成し、前記第２の前方端部パネル及び前記第２の後方端部パネルは第２の端壁を形成し、前記第２の前方端部クロージャーフラップ及び前記第２の後方端部クロージャーフラップは第２の端部支持壁を形成する、請求項１３に記載のキャリア。
【請求項１６】
前記少なくとも１つの仕切りフラップは第１の仕切りフラップ及び第２の仕切りフラップを含み、該第１の仕切りフラップの長手方向セグメントは前記第１のサイドパネルに折り曲げ可能に接続されており、前記第２の仕切りフラップの長手方向セグメントは前記第２のサイドパネルに折り曲げ可能に接続されている、請求項１に記載のキャリア。
【請求項１７】
前記少なくとも２つの端部パネルは、前記第１のサイドパネルに折り曲げ可能に接続されている少なくとも１つの前方端部パネルと、前記第２のサイドパネルに折り曲げ可能に接続されている少なくとも１つの後方端部パネルとを含み、前記中心仕切り壁は、前記少なくとも１つの前方端部パネルに折り曲げ可能に接続されている少なくとも１つの前方端部クロージャーフラップと、前記少なくとも１つの後方端部パネルに折り曲げ可能に接続されている少なくとも１つの後方端部クロージャーフラップとを更に含む、請求項１６に記載のキャリア。
【請求項１８】
前記第１の仕切りフラップの前記少なくとも１つの端部クロージャーフラップの少なくとも一部は前記少なくとも１つの前方端部クロージャーフラップに固定されており、前記第２の仕切りフラップの前記少なくとも１つの端部クロージャーフラップの少なくとも一部は、前記少なくとも１つの後方端部クロージャーフラップに固定されている、請求項１７に記載のキャリア。
【請求項１９】
前記少なくとも１つの前方端部パネルは第１の前方端部パネル及び第２の前方端部パネルを含み、前記少なくとも１つの前方端部クロージャーフラップは第１の前方端部クロージャーフラップ及び第２の前方端部クロージャーフラップを含み、前記第１の仕切りフラップの前記少なくとも１つの横断方向セグメントは第１の横断方向セグメント及び第２の横断方向セグメントを含み、前記第１の仕切りフラップの前記少なくとも１つの端部セグメントは第１の端部セグメント及び第２の端部セグメントを含む、請求項１８に記載のキャリア。
【請求項２０】
前記第１の端部セグメントは、第１のタブであって、該第１のタブと前記第１の横断方向セグメントとの間に延在する切れ目線によって少なくとも部分的に画成されている第１のタブを含み、該第１のタブの少なくとも一部は前記第１の前方端部クロージャーフラップと対面接触して固定されており、前記第２の端部セグメントは、第２のタブであって、該第２のタブと前記第２の横断方向セグメントとの間に延在する切れ目線によって少なくとも部分的に画成されている第２のタブを含み、該第２のタブの少なくとも一部は前記第１の端部セグメントに固定されている、請求項１９に記載のキャリア。
【請求項２１】
前記少なくとも１つの後方端部パネルは第１の後方端部パネル及び第２の後方端部パネルを含み、前記少なくとも１つの後方端部クロージャーフラップは第１の後方端部クロージャーフラップ及び第２の後方端部クロージャーフラップを含み、前記第２の仕切りフラップの前記少なくとも１つの横断方向セグメントは第３の横断方向セグメント及び第４の横断方向セグメントを含み、前記第２の仕切りフラップの前記少なくとも１つの端部セグメントは第３の端部セグメント及び第４の端部セグメントを含む、請求項１９に記載のキャリア。
【請求項２２】
前記第１の端部セグメントの少なくとも一部は前記第１の前方端部クロージャーフラップと対面接触して固定されており、前記第２の端部セグメントの少なくとも一部は前記第２の前方端部クロージャーフラップと対面接触して固定されており、前記第３の端部セグメントの少なくとも一部は前記第１の後方端部クロージャーフラップと対面接触して固定されており、前記第４の端部セグメントの少なくとも一部は前記第２の後方端部クロージャーフラップと対面接触して固定されている、請求項２１に記載のキャリア。
【請求項２３】
前記第１の端部セグメントは、前記第３の端部セグメントと少なくとも部分的に対面接触している、請求項２１に記載のキャリア。
【請求項２４】
前記ハンドルの少なくとも一部は少なくとも前記第１の前方端部クロージャーフラップに固定されており、前記ハンドルは、少なくとも第２の前方端部クロージャーフラップに折り曲げ可能に接続されている、請求項２１に記載のキャリア。
【請求項２５】
複数の容器を保持するキャリアを形成するためのブランクであって、
少なくとも１つのボトムパネル、第１のサイドパネル、第２のサイドパネル及び少なくとも２つの端部パネルを含む複数のパネルと、
少なくとも前記第１のサイドパネル又は前記第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップと、
少なくとも１つのハンドルフラップであって、該少なくとも１つのハンドルフラップと前記少なくとも１つの仕切りフラップの少なくとも一部との間に延在する切れ目線によって少なくとも部分的に画成されている少なくとも１つのハンドルフラップを含む、ハンドルと、
を備え、
前記少なくとも１つの仕切りフラップの前記少なくとも１つの端部セグメントは、該ブランクから形成される前記キャリアの内部を前方部分及び後方部分に分割する中心仕切り壁の少なくとも一部を形成するためのものである、ブランク。
【請求項２６】
前記少なくとも１つの仕切りフラップの前記少なくとも１つの横断方向セグメントは、該少なくとも１つの横断方向セグメントが前記ブランクから形成される前記キャリアの前記前方部分又は前記後方部分を横断方向に少なくとも部分的に横切って延在するように、前記長手方向セグメントに対して折り曲げられるためのものである、請求項２５に記載のブランク。
【請求項２７】
前記ブランクは、前記少なくとも２つの端部パネルのそれぞれに折り曲げ可能にそれぞれ接続されている少なくとも２つの端部クロージャーフラップを更に含み、前記少なくとも１つの仕切りフラップの前記少なくとも１つの端部セグメントの少なくとも一部は、前記少なくとも２つの端部クロージャーフラップのうちの少なくとも一方の端部クロージャーフラップに取り付けられるためのものである、請求項２５に記載のブランク。
【請求項２８】
前記少なくとも１つの仕切りフラップの前記少なくとも１つの横断方向セグメントは第１の横断方向セグメント及び第２の横断方向セグメントを含み、前記少なくとも１つの仕切りフラップの前記少なくとも１つの端部セグメントは第１の端部セグメント及び第２の端部セグメントを含む、請求項２７に記載のブランク。
【請求項２９】
前記第１の端部セグメントは、第１のタブであって、該第１のタブと前記第１の横断方向セグメントとの間に延在する切れ目線によって少なくとも部分的に画成されている第１のタブを含み、該第１のタブの少なくとも一部は、前記少なくとも２つの端部クロージャーフラップのうちの第１の端部クロージャーフラップと対面接触して取り付けられるためのものである、請求項２８に記載のブランク。
【請求項３０】
前記第２の端部セグメントは、第２のタブであって、該第２のタブと前記第２の横断方向セグメントとの間に延在する切れ目線によって少なくとも部分的に画成されている第２のタブを含み、該第２のタブの少なくとも一部は前記第１の端部セグメントに取り付けられるためのものである、請求項２９に記載のブランク。
【請求項３１】
前記少なくとも１つの仕切りフラップは第１の仕切りフラップ及び第２の仕切りフラップを含み、前記第１の仕切りフラップの長手方向セグメントは前記第１のサイドパネルに折り曲げ可能に接続されており、前記第２の仕切りフラップの長手方向セグメントは前記第２のサイドパネルに折り曲げ可能に接続されており、前記第１の仕切りフラップの第１の横断方向セグメント及び第２の横断方向セグメントは、複数の前方容器コンパートメントを形成するために前記ブランクから形成される前記キャリアの前方部分を横切って横断方向に延在し、前記第２の仕切りフラップの第１の横断方向セグメント及び第２の横断方向セグメントは、複数の後方容器コンパートメントを形成するために前記ブランクから形成される前記キャリアの後方部分を横切って横断方向に延在する、請求項３０に記載のブランク。
【請求項３２】
前記少なくとも２つの端部パネルは、前記第１のサイドパネルにそれぞれ折り曲げ可能に接続されている第１の端部パネル及び第２の端部パネルと、前記第２のサイドパネルにそれぞれ折り曲げ可能に接続されている第３の端部パネル及び第４の端部パネルとを含み、前記第１の端部クロージャーフラップは少なくとも前記第１の端部パネルに折り曲げ可能に接続されており、前記第２の端部クロージャーフラップは少なくとも前記第２の端部パネルに折り曲げ可能に接続されている、請求項３１に記載のブランク。
【請求項３３】
少なくとも前記第１の端部クロージャーフラップ及び前記第３の端部パネルに折り曲げ可能に接続されている第３の端部クロージャーフラップと、少なくとも前記第２の端部クロージャーフラップ及び前記第４の端部パネルに折り曲げ可能に接続されている第４の端部クロージャーフラップとを更に含む、請求項３２に記載のブランク。
【請求項３４】
前記ハンドルは、第１の横断方向折り線に沿って前記第２の端部クロージャーフラップに折り曲げ可能に接続されている第１のハンドルフラップと、第２の横断方向折り線に沿って前記第４の端部クロージャーフラップに折り曲げ可能に接続されている第２のハンドルフラップとを含む、請求項３３に記載のブランク。
【請求項３５】
前記第１のハンドルフラップは、中心長手方向折り線に沿って前記第２のハンドルフラップに接続されている、請求項３４に記載のブランク。
【請求項３６】
前記第１の仕切りフラップの前記長手方向セグメント及び前記第２の横断方向セグメントそれぞれの少なくとも一部は、前記ブランクにおいて少なくとも前記第１のハンドルフラップの縁部及び前記第１のサイドパネルから延在し、前記第２の仕切りフラップの前記長手方向セグメント及び前記第２の横断方向セグメントそれぞれの少なくとも一部は、前記ブランクにおいて少なくとも前記第２のハンドルフラップの縁部及び前記第２のサイドパネルから延在する、請求項３５に記載のブランク。
【請求項３７】
前記第１の仕切りフラップの前記第１の横断方向セグメントの少なくとも一部は、前記ブランクにおいて前記第１のサイドパネルの縁部と前記第２の仕切りフラップの前記第１の横断方向セグメントとの間に延在し、前記第２の仕切りフラップの前記第１の横断方向セグメントの少なくとも一部は、前記ブランクにおいて前記第２のサイドパネルの縁部と前記第１の仕切りフラップの前記第１の横断方向セグメントとの間に延在する、請求項３６に記載のブランク。
【請求項３８】
前記第１の仕切りフラップの前記第２の端部セグメントの少なくとも一部は、前記ブランクにおいて少なくとも前記第１のハンドルフラップの縁部から前記第２の端部パネルの縁部へ延在し、前記第２の仕切りフラップの前記第２の端部セグメントの少なくとも一部は、前記ブランクにおいて少なくとも前記第２のハンドルフラップの縁部から前記第４の端部パネルの縁部へ延在する、請求項３６に記載のブランク。
【請求項３９】
前記第１の仕切りフラップの前記第１の端部セグメントの少なくとも一部は、前記ブランクにおいて少なくとも前記第１の端部パネル及び前記第１の端部クロージャーフラップに隣接して延在し、前記第２の仕切りフラップの前記第１の端部セグメントの少なくとも一部は、前記ブランクにおいて少なくとも前記第３の端部パネルと、前記第３の端部クロージャーフラップと前記第１の仕切りフラップの前記第１の端部セグメントとに隣接して延在する、請求項３６に記載のブランク。
【請求項４０】
前記第１の仕切りフラップの前記第１の横断方向セグメントの少なくとも一部は、前記ブランクにおいて少なくとも前記第１のサイドパネルに隣接して延在し、前記第２の仕切りフラップの前記第１の横断方向セグメントの少なくとも一部は、前記ブランクにおいて少なくとも前記第２のサイドパネルと前記第１の仕切りフラップの前記第１の横断方向セグメントとに隣接して延在する、請求項３９に記載のブランク。
【請求項４１】
前記少なくとも１つの仕切りフラップの前記長手方向セグメントの少なくとも一部は、前記ブランクにおいて少なくとも前記ハンドルの縁部並びに前記第１のサイドパネル又は前記第２のサイドパネルから延在する、請求項２５に記載のブランク。
【請求項４２】
前記少なくとも１つの仕切りフラップの前記少なくとも１つの横断方向セグメントは第１の横断方向セグメント及び第２の横断方向セグメントを含み、該第２の横断方向セグメントは、前記ブランクにおいて少なくとも前記ハンドルの縁部及び前記第１のサイドパネル又は前記第２のサイドパネルから延在し、前記第１の横断方向セグメントは、該第１の横断方向セグメント及び前記第１のサイドパネル又は前記第２のサイドパネル間に延在する長手方向切れ目線と、前記ブランクにおいて前記第１の横断方向セグメントと前記ハンドルの少なくとも一部との間に延在する横断方向切れ目線とによって少なくとも部分的に画成される、請求項４１に記載のブランク。
【請求項４３】
前記少なくとも１つの仕切りフラップの前記少なくとも１つの端部セグメントは、前記第１の横断方向セグメントに折り曲げ可能に接続されている第１の端部セグメントと、前記第２の横断方向セグメントに折り曲げ可能に接続されている第２の端部セグメントとを含み、該第２の端部セグメントは、少なくとも前記ハンドルの縁部及び前記少なくとも２つの端部パネルのうちの少なくとも一方から延在し、前記第１の端部セグメントは、前記第１の端部セグメントと前記少なくとも２つの端部パネルのうちの少なくとも一方との間に延在する切れ目線によって少なくとも部分的に画成されている、請求項４２に記載のブランク。
【請求項４４】
前記少なくとも１つの仕切りフラップの前記第１の端部セグメントは、該第１の端部セグメント及び前記第１の横断方向セグメント間に延在する第１の概ねＵ字形の切れ目線によって少なくとも部分的に画成されている第１のタブを含み、前記少なくとも１つの仕切りフラップの前記第２の端部セグメントは、前記第２の端部セグメント及び前記第２の横断方向セグメント間に延在する第２の概ねＵ字形の切れ目線によって少なくとも部分的に画成されている第２のタブを含む、請求項４３に記載のブランク。
【請求項４５】
ブランクからキャリアを形成する方法であって、
少なくとも１つのボトムパネル、第１のサイドパネル、第２のサイドパネル及び少なくとも２つの端部パネルを含む複数のパネルと、少なくとも前記第１のサイドパネル又は前記第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップと、ハンドルとを含むブランクを得るステップと、
少なくとも前記第１のサイドパネル又は前記第２のサイドパネルの少なくとも一部と少なくとも部分的に対面接触するように前記少なくとも１つの仕切りフラップを折り曲げるステップと、
前記少なくとも１つの仕切りフラップの前記少なくとも１つの端部セグメントが前記第１のサイドパネル及び前記第２のサイドパネル間に配置されるように前記ブランクを長手方向中心線に沿って折り曲げるステップであって、前記少なくとも１つの端部セグメントは中心仕切り壁の少なくとも一部を形成する、折り曲げるステップと、
前記キャリアの内部が前記中心仕切り壁によって前方部分及び後方部分に分割されるように前記少なくとも２つの端部パネルを前記中心仕切り壁から離れるように延在させることによって前記キャリアの内部を形成するステップと、
を含み、
前記キャリアの内部を形成するステップは、前記少なくとも１つの横断方向セグメントが前記中心仕切り壁に対して概ね垂直に延在するとともに前記第１のサイドパネル又は前記第２のサイドパネルに少なくとも部分的に延在するように、前記少なくとも１つの仕切りフラップの前記少なくとも１つの横断方向セグメントを前記長手方向セグメント及び前記少なくとも１つの端部セグメントに対して枢動させる、方法。
【請求項４６】
前記少なくとも２つの端部パネルは、前記第１のサイドパネルにそれぞれ折り曲げ可能に接続されている第１の端部パネル及び第２の端部パネルを含み、前記ブランクは、それぞれの前記第１の端部パネル及び前記第２の端部パネルに折り曲げ可能にそれぞれ接続されている第１の端部クロージャーフラップ及び第２の端部クロージャーフラップを更に含む、請求項４５に記載の方法。
【請求項４７】
前記第２の端部クロージャーフラップを前記第２の端部パネルと少なくとも部分的に対面接触するよう折り曲げるステップ、及び、前記第１の端部パネル及び前記第１の端部クロージャーフラップがそれぞれ前記第１のサイドパネルと少なくとも部分的に対面接触するように前記第１の端部パネルを折り曲げるステップを更に含む、請求項４６に記載の方法。
【請求項４８】
前記少なくとも１つの仕切りフラップの前記少なくとも１つの横断方向セグメントは、第１の横断方向セグメント及び第２の横断方向セグメントを含み、前記少なくとも１つの仕切りフラップの前記少なくとも１つの端部セグメントは、第１の端部セグメント及び第２の端部セグメントを含み、前記少なくとも１つの仕切りフラップを折り曲げるステップは、前記第１の横断方向セグメントが少なくとも前記長手方向セグメントと少なくとも部分的に対面接触するとともに、前記第１の端部セグメントが少なくとも前記第２の横断方向セグメントと少なくとも部分的に対面接触するように前記第１の横断方向セグメントを折り曲げるステップを更に含む、請求項４７に記載の方法。
【請求項４９】
前記第２の端部クロージャーフラップを折り曲げるステップは、前記少なくとも１つの仕切りフラップの前記第２の端部セグメントの少なくとも一部を前記第２の端部クロージャーフラップと対面接触させて固定するステップを更に含み、前記第１の端部パネルを折り曲げるステップは、前記第１の端部セグメントの少なくとも一部を前記第１の端部クロージャーフラップと対面接触させて固定するステップを更に含む、請求項４８に記載の方法。
【請求項５０】
前記少なくとも１つの仕切りフラップを折り曲げるステップは、前記第２の端部セグメントの少なくとも一部を前記第１の端部セグメントに固定するステップを更に含む、請求項４９に記載の方法。
【請求項５１】
前記少なくとも１つの仕切りフラップは第１の仕切りフラップ及び第２の仕切りフラップを含み、前記ブランクを前記長手方向中心線に沿って折り曲げるステップは、前記第１の仕切りフラップの前記第１の端部セグメントを前記第２の仕切りフラップの前記第１の端部セグメントと少なくとも部分的に対面接触させて固定するステップを含む、請求項５０に記載の方法。
【請求項５２】
前記少なくとも２つの端部パネルは、前記第２のサイドパネルにそれぞれ折り曲げ可能に接続されている第３の端部パネル及び第４の端部パネルを更に含み、前記ブランクは、それぞれ前記第１の端部パネル及び前記第２の端部パネルに折り曲げ可能にそれぞれ接続されている第３の端部クロージャーフラップ及び第４の端部クロージャーフラップを更に含む、請求項４６に記載の方法。
【請求項５３】
前記第１の端部クロージャーフラップは、前記長手方向中心線に沿って前記第３の端部クロージャーフラップに接続されており、前記第２の端部クロージャーフラップは、前記長手方向中心線に沿って前記第４の端部クロージャーフラップに接続されており、前記ブランクを前記長手方向中心線に沿って折り曲げるステップは、前記第１の端部クロージャーフラップを前記第３の端部クロージャーフラップと少なくとも部分的に対面接触させて位置決めするステップと、前記第２の端部クロージャーフラップを前記第４の端部クロージャーフラップと少なくとも部分的に対面接触させて位置決めするステップとを更に含む、請求項５２に記載の方法。
【請求項５４】
前記ハンドルは、前記長手方向中心線に沿って第２のハンドルフラップに折り曲げ可能に接続されている第１のハンドルフラップを含む、請求項４５に記載の方法。
【発明の詳細な説明】
【技術分野】
【０００１】
本開示は、複数の容器を保持するカートンに関する。より詳細には、本開示は、ハンドルと、２つ以上の列で容器を保持するための複数の容器コンパートメントとを有するバスケット型のカートンに関する。
【０００２】
［関連出願の相互参照］
本願は、２００９年８月２８日付けで出願された米国仮特許出願第６１／２３７，８３７号の利益を主張する。
【０００３】
［参照による援用］
２００９年８月２８日付けで出願された米国仮特許出願第６１／２３７，８３７号は、その全体が本明細書に提示されているかのようにあらゆる目的で参照により本明細書に援用される。
【発明の概要】
【０００４】
本開示は包括的には、複数の容器を保持するカートンに関する。より詳細には、本開示は、カートンの重量を低く抑えながらも、カートンに収容されている容器の改善された保護及び改善された構造的完全性を提供するそのようなカートンに関する。
【０００５】
概して、本開示の一態様は、複数の容器を保持するキャリアに関する。キャリアは、該キャリアの内側の周りに少なくとも部分的に延在する複数のパネルを備える。複数のパネルは、少なくとも１つのボトムパネル、第１のサイドパネル、第２のサイドパネル及び少なくとも２つの端部パネルを含む。キャリアは、少なくとも第１のサイドパネル又は第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップを備える。中心仕切り壁が、キャリアの内部を前方部分及び後方部分に分割する。中心仕切り壁は、少なくとも１つの仕切りフラップの少なくとも１つの端部セグメントを少なくとも含む。ハンドルが中心仕切り壁に取り付けられている。
【０００６】
別の態様では、本開示は包括的に、複数の容器を保持するキャリアを形成するブランクに関する。ブランクは、少なくとも１つのボトムパネル、第１のサイドパネル、第２のサイドパネル及び少なくとも２つの端部パネルを含む複数のパネルと、少なくとも第１のサイドパネル又は第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップとを備える。ブランクは、少なくとも１つのハンドルフラップであって該少なくとも１つのハンドルフラップと少なくとも１つの仕切りフラップの少なくとも一部との間に延在する切れ目線によって少なくとも部分的に画成されている少なくとも１つのハンドルフラップを含む、ハンドルを備える。少なくとも１つの仕切りフラップの少なくとも１つの端部セグメントは、ブランクから形成されるキャリアの内部を前方部分及び後方部分に分割する中心仕切り壁の少なくとも一部を形成するためのものである。
【０００７】
別の態様では、本開示は包括的に、カートンを形成する方法に関する。該方法は、少なくとも１つのボトムパネル、第１のサイドパネル、第２のサイドパネル及び少なくとも２つの端部パネルを含む複数のパネルと、少なくとも第１のサイドパネル又は第２のサイドパネルに折り曲げ可能に接続されている長手方向セグメント、該長手方向セグメントに折り曲げ可能に接続されている少なくとも１つの横断方向セグメント、及び該少なくとも１つの横断方向セグメントに折り曲げ可能に接続されている少なくとも１つの端部セグメントを含む少なくとも１つの仕切りフラップと、ハンドルとを備えるブランクを得るステップを含む。該方法は、少なくとも第１のサイドパネル又は第２のサイドパネルの少なくとも一部と少なくとも部分的に対面接触するように少なくとも１つの仕切りフラップを折り曲げるステップと、少なくとも１つの仕切りフラップの少なくとも１つの端部セグメントが第１のサイドパネル及び第２のサイドパネル間に配置されるようにブランクを長手方向中心線に沿って折り曲げるステップとを含む。少なくとも１つの端部セグメントは中心仕切り壁の少なくとも一部を形成する。該方法は、キャリアの内部が中心仕切り壁によって前方部分及び後方部分に分割されるように少なくとも２つの端部パネルを中心仕切り壁から離れるように延在させることによってキャリアの内部を形成するステップを含む。キャリアの内部を形成するステップは、少なくとも１つの横断方向セグメントが中心仕切り壁に対して概ね垂直に延在するとともに第１のサイドパネル又は第２のサイドパネルに少なくとも部分的に延在するように、少なくとも１つの仕切りフラップの少なくとも１つの横断方向セグメントを長手方向セグメント及び少なくとも１つの端部セグメントに対して枢動させる。
【０００８】
当業者は、添付図面を参照して実施形態の以下の詳細な説明を読めば、上述の利点及び他の利点、並びに多様な追加の実施形態の利益を理解するであろう。
【０００９】
一般的慣行に従い、以下で説明する図面の多様な特徴は、必ずしも一定の縮尺で描かれていない。図面における多様な特徴及び要素の寸法は、本開示の実施形態をより明確に示すために拡大又は縮小されている場合がある。
【図面の簡単な説明】
【００１０】
【図１】本開示の一態様によるキャリアブランクの外側平面図である。
【図２】本開示の一態様による部分的に組み立てたキャリアを形成するためにブランクを折り曲げるところを示す平面図である。
【図３】本開示の一態様による部分的に組み立てたキャリアを形成するためにブランクを折り曲げるところを示す平面図である。
【図４】本開示の一態様による部分的に組み立てたキャリアを形成するためにブランクを折り曲げるところを示す平面図である。
【図５】部分的に組み立てたキャリアの平坦な状態の平面図である。
【図６】部分的に組み立てたキャリアの平坦な状態の平面図である。
【図７】図５及び図６の平坦なキャリアからキャリアを組み立てるところを示す斜視図である。
【図８】組み立てたキャリアの斜視図である。
【図９】組み立てたキャリアの斜視図である。
【図１０】キャリアの底面図である。
【図１１】容器を入れたキャリアの斜視図である。
【発明を実施するための形態】
【００１１】
対応する部分は、図面を通して対応する参照符号によって示されている。
【００１２】
本開示は包括的には、構造体、パッケージ、カートン等、及びボトル、ジャー、缶等のような容器Ｃ（図１１）を保持及び陳列するためのパッケージに関する。容器は、例えば、食料品及び飲料製品を包装するために用いることができる。容器は、特定の食料品又は飲料品を包装するのに適した組成の材料から作ることができ、該材料として、アルミニウム及び／又は他の金属、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、ガラス、又はそれらの任意の組み合わせが挙げられるが、これらに限定されない。
【００１３】
本開示によるパッケージは、多数の異なる形状の容器を収納することができる。本開示の範囲を限定することを目的とせず、説明することを目的として、以下の詳細な説明では、パッケージ内に少なくとも部分的に配置される飲料容器（例えば、概してプラスチック又はガラスのボトル）の例を用いる。本明細書において、「サイド」、「端部」、「ボトム」、及び「トップ」という用語は、完全に組み立てられたカートンに関して定められる向きを示す。「横方向」及び「長手方向」という用語は、線及び他の特徴部の相対的な向きを説明するために用いられ、これらの向きは逆にすることができることを理解されたい。
【００１４】
図１は、カートン又はキャリア２００（図８乃至図１１）を形成するためのブランク１を示す。ブランク１は、長手方向軸Ｌ１及び横方向軸Ｌ２を有する。ブランク１は、第１のサイドパネル１０と、横方向折り線１１において第１のサイドパネル１０の第１の外側縁部に折り曲げ可能に接続されている第１の端部パネル２０と、横方向折り線１２において第１のサイドパネル１０の第２の外側縁部に折り曲げ可能に接続されている第２の端部パネル３０とを含む。
【００１５】
ブランク１は、それぞれ第１のサイドパネル１０、第１の端部パネル２０及び第２の端部パネル３０と横方向に対向しているとともに横方向に離間している第２のサイドパネル４０、第３の端部パネル２４、及び第４の端部パネル３４を含む。第３の端部パネル２４は、横方向折り線４１において第２のサイドパネル４０の第１の外側縁部に折り曲げ可能に接続されており、第４の端部パネル３４は、横方向折り線４２において第２のサイドパネル４０の第２の外側縁部に折り曲げ可能に接続されている。
【００１６】
図１に示されるように、第１の端部クロージャーフラップ１２０が、横方向折り線２１において第１の端部パネル２０に折り曲げ可能に接続されている。第２の端部クロージャーフラップ１３０が、横方向折り線３１において第２の端部パネル３０に折り曲げ可能に接続されている。第１の端部クロージャーフラップ１２０に横方向に対向して位置決めされている第３の端部クロージャーフラップ１２６が、横方向折り線２５において第３の端部パネル２４に折り曲げ可能に接続されており、長手方向折り線１２１において第１の端部クロージャーフラップ１２０に折り曲げ可能に接続されている。第２の端部クロージャーフラップ１３０に横方向に対向して位置決めされている第４の端部クロージャーフラップ１３６が、横方向折り線３５において第４の端部パネル３４に折り曲げ可能に接続されており、長手方向折り線１３１において第２の端部クロージャーフラップ１３０に折り曲げ可能に接続されている。
【００１７】
図示の実施形態では、第１の端部クロージャーフラップ１２０及び第３の端部クロージャーフラップ１２６は、互いに隣接して位置決めされているとともに折り線１２１で一緒につながっている長手方向突出部分１２２、１２８を含む。切欠き部分１２４、１２７が突出部分１２２、１２８にそれぞれ隣接して形成されている。それぞれの係止用タブ又はフック１２３、１２９が、第１の端部クロージャーフラップ１２０及び第３の端部クロージャーフラップ１２６の長手方向自由縁部から延在している。第２の端部クロージャーフラップ１３０及び第４の端部クロージャーフラップ１３６は、互いに隣接して位置決めされているとともに折り線１３１で一緒につながっている長手方向突出部分１３２、１３８を含む。切欠き部分１３３、１３７が突出部分１３２、１３８にそれぞれ隣接して形成されている。
【００１８】
矩形開口１２５が、第１の端部クロージャーフラップ１２０及び第３の端部クロージャーフラップ１２６に設けられることができ、第１の端部クロージャーフラップ１２０及び第３の端部クロージャーフラップ１２６の折り曲げを容易にするように折り線２１、２５、１２１と交わる。同様に、矩形開口１３５が第２の端部クロージャーフラップ１３０及び第４の端部クロージャーフラップ１３６に設けられ、第２の端部クロージャーフラップ１３０及び第４の端部クロージャーフラップ１３６の折り曲げを容易にするように折り線３１、３５、１３１と交わる。
【００１９】
図示の実施形態によると、第１の仕切りフラップ８０が、第１のサイドパネル１０、第１の端部パネル２０及び第２の端部パネル３０に長手方向に隣接して延在している。第１の仕切りフラップ８０は、第１の仕切りフラップセグメント８２、第１の仕切りフラップセグメント８２に折り曲げ可能に接続されている第２の仕切りフラップセグメント８６、第２の仕切りフラップセグメント８６及び第１のサイドパネル１０に折り曲げ可能に接続されている第３の仕切りフラップセグメント９０、第３の仕切りフラップセグメント９０に折り曲げ可能に接続されている第４の仕切りフラップセグメント９４、並びに第４の仕切りフラップセグメント９４に折り曲げ可能に接続されている第５の仕切りフラップセグメント９８を含む。
【００２０】
第１の仕切りフラップセグメント８２は、仕切りフラップ８０の端部セグメントを形成し、第１の端部クロージャーフラップ１２０及び第１の端部パネル２０に隣接して位置決めされている。第１の仕切りフラップセグメント８２は、横方向に延在する切れ目線８１において第１の端部クロージャーフラップ１２０から分離されている第１の外側縁部と、長手方向部分及び斜め部分を有する切れ目線２２において第１の端部パネル２０から分離されている第１の長手方向縁部とを有する。第１の仕切りフラップセグメント８２の第２の外側縁部は、横方向に離間している横方向折り線８３、８４と折り線８３、８４の端点間に延在するほぼＵ字形の切れ目８５とによって画成されている。ほぼＵ字形の切れ目８５は、第１の仕切りフラップセグメント８２のタブ８２ａを画成している。
【００２１】
第２の仕切りフラップセグメント８６は、組み立てられたキャリア２００の横断方向セグメントを形成し、第１のサイドパネル１０に隣接して位置決めされ、長手方向に延在する切れ目線１４において第１のサイドパネル１０から分離されている。第２の仕切りフラップセグメント８６の第１の外側縁部は、横方向折り線８３、８４及びほぼＵ字形の切れ目８５によって画成されている。第２の仕切りフラップセグメント８６は、横方向折り線８３、８４において第１の仕切りフラップセグメント８２に折り曲げ可能に接続されており、ほぼＵ字形の切れ目線８５において第１の仕切りフラップセグメント８２から部分的に分離されている。横方向折り線８７が、第２の仕切りフラップセグメント８６の第２の外側縁部の一部に沿って延在している。
【００２２】
第３の仕切りフラップセグメント９０は、仕切りフラップ８０の長手方向セグメントを形成し、第３の仕切りフラップセグメント９０の第１の長手方向縁部を画成する長手方向折り線１３において第１のサイドパネル１０に折り曲げ可能に接続されている。第３の仕切りフラップセグメント９０は、第３の仕切りフラップセグメント９０の第１の外側縁部を画成する横方向折り線８７において第２の仕切りフラップセグメント８６に折り曲げ可能に接続されている。第３の仕切りフラップセグメント９０の第２の外側縁部は横方向折り線９１によって画成されている。
【００２３】
第４の仕切りフラップセグメント９４は、組み立てられたキャリア２００において横断方向セグメントを形成し、第１のサイドパネル１０に隣接して位置決めされ、横方向折り線９１において第３の仕切りフラップセグメント９０に折り曲げ可能に接続されている。折り線９１は、第４の仕切りフラップセグメント９４の第１の外側縁部を画成している。第４の仕切りフラップセグメント９４は、長手方向に延在する切れ目線１５において第１のサイドパネル１０から離間している第１の長手方向縁部を有する。第４の仕切りフラップセグメント９４の第２の外側縁部が、横方向に離間している横方向折り線９５、９６と折り線９５、９６の端点間に延在するほぼＵ字形の切れ目９７とによって画成されている。
【００２４】
第５の仕切りフラップセグメント９８は、仕切りフラップ８０の端部セグメントを形成し、横方向折り線９５、９６において第４の仕切りフラップセグメント９４に折り曲げ可能に接続されており、ほぼＵ字形の切れ目９７において第４の仕切りフラップセグメント９４から部分的に分離されている。第５の仕切りフラップセグメント９８は、該第５の仕切りフラップセグメント及び第２の端部パネル３０間に延在する切れ目線３２によって更に画成されている。ほぼＵ字形の切れ目９７は、第５の仕切りフラップセグメント９８のタブ９８ａを画成している。
【００２５】
図１に示されるように、第１の仕切りフラップ８０と同様の構成の第２の仕切りフラップ１００が、第２のサイドパネル４０、第３の端部パネル２４及び第４の端部パネル３４に長手方向に隣接して延在する。第２の仕切りフラップ１００は、第６の仕切りフラップセグメント１０２、第６の仕切りフラップセグメント１０２に折り曲げ可能に接続されている第７の仕切りフラップセグメント１０６、第７の仕切りフラップセグメント１０６及び第２のサイドパネル４０に折り曲げ可能に接続されている第８の仕切りフラップセグメント１１０、第８の仕切りフラップセグメント１１０に折り曲げ可能に接続されている第９の仕切りフラップセグメント１１４、並びに第９の仕切りフラップセグメント１１４に折り曲げ可能に接続されている第１０の仕切りフラップセグメント１１８を含む。
【００２６】
第６の仕切りフラップセグメント１０２は、仕切りフラップ１００の端部セグメントを形成し、第３の端部クロージャーフラップ１２６及び第３の端部パネル２４に隣接して位置決めされている。第６の仕切りフラップセグメント１０２は、横方向に延在する切れ目線１０１において第３の端部クロージャーフラップ１２６から離間している第１の外側縁部と、長手方向部分及び斜め部分を有する切れ目２６において第３の端部パネル２４から分離されている第１の長手方向縁部とを有する。第６の仕切りフラップセグメント１０２の第２の外側縁部は、横方向に離間している横方向折り線１０３、１０４と折り線１０３、１０４の端点間に延在するほぼＵ字形の切れ目１０５とによって画成されている。ほぼＵ字形の切れ目１０５は、第６の仕切りフラップセグメント１０２のタブ１０２ａを画成している。
【００２７】
第７の仕切りフラップセグメント１０６は、組み立てられたキャリア２００の横断方向セグメントを形成し、第２のサイドパネル４０に隣接して位置決めされ、長手方向に延在する切れ目線４４において第２のサイドパネル４０から分離されている。横方向折り線１０３、１０４及びほぼＵ字形の切れ目１０５は第７の仕切りフラップセグメント１０６の第１の外側縁部を画成する。第７の仕切りフラップセグメント１０６は、横方向折り線１０３、１０４において第６の仕切りフラップセグメント１０２に折り曲げ可能に接続されており、ほぼＵ字形の切れ目１０５において第６の仕切りフラップセグメント１０２から部分的に分離されている。横方向折り線１０７が、第７の仕切りフラップセグメント１０６の第２の外側縁部の一部に沿って延在している。
【００２８】
第８の仕切りフラップセグメント１１０は、仕切りフラップ１００の長手方向セグメントを形成し、第８の仕切りフラップセグメント１１０の第１の長手方向縁部を画成する長手方向折り線４３において第２のサイドパネル４０に折り曲げ可能に接続されている。第８の仕切りフラップセグメント１１０は、横方向折り線１０７によって画成される第１の外側縁部を有する。第８の仕切りフラップセグメント１１０はしたがって、横方向折り線１０７において第７の仕切りフラップセグメント１０６に折り曲げ可能に接続されている。第８の仕切りフラップセグメント１１０は、第８の仕切りフラップセグメント１１０の第１の長手方向縁部を画成する長手方向折り線４３において第２のサイドパネル４０に折り曲げ可能に接続されている。横方向折り線１１１が、第８の仕切りフラップセグメント１１０の第２の外側縁部を画成している。
【００２９】
第９の仕切りフラップセグメント１１４は、組み立てられたキャリア２００の横断方向セグメントを形成し、第２のサイドパネル４０に隣接して位置決めされている。第９の仕切りフラップセグメント１１４の第１の外側縁部は、第９の仕切りフラップセグメント１１４が第８の仕切りフラップセグメント１１０に折り曲げ可能に接続されている横方向折り線１１１によって画成されている。第９の仕切りフラップセグメント１１４は、長手方向に延在する切れ目線４５において第２のサイドパネル４０から分離されている第１の長手方向縁部を有する。第９の仕切りフラップセグメント１１４の第２の外側縁部は、横方向に離間している横方向折り線１１５、１１６と折り線１１５、１１６の端点間に延在するほぼＵ字形の切れ目１１７とによって画成されている。
【００３０】
第１０の仕切りフラップセグメント１１８は、仕切りフラップ１００の端部セグメントを形成し、横方向折り線１１５、１１６において第９の仕切りフラップセグメント１１４に折り曲げ可能に接続されており、ほぼＵ字形の切れ目１１７において第９の仕切りフラップセグメント１１４から部分的に分離されている。第１０の仕切りフラップセグメント１１８は、該第１０の仕切りフラップセグメント及び第４の端部パネル３４間に延在する切れ目線３６によって更に画成されている。ほぼＵ字形の切れ目１１７は、第１０の仕切りフラップセグメント１１８のタブ１１８ａを画成している。
【００３１】
第１の仕切りフラップセグメント８２及び第２の仕切りフラップセグメント８６は、それぞれ第６の仕切りフラップセグメント１０２及び第７の仕切りフラップセグメント１０６に隣接して位置決めすることができる。長手方向隙間８９が、第１の仕切りフラップセグメント８２と第６の仕切りフラップセグメント１０２との間、及び第２の仕切りフラップセグメント８６と第７の仕切りフラップセグメント１０６との間に延在する。
【００３２】
図１に示されるように、ハンドルフラップ５０が第２の端部クロージャーフラップ１３０及び第４の端部クロージャーフラップ１３６に折り曲げ可能に接続されており、第２の端部パネル３０と第４の端部パネル３４との間、及び第１の仕切りフラップ８０と第２の仕切りフラップ１００との間に長手方向に延在している。ハンドルフラップ５０は、第１のハンドルフラップセクション６０及び第２のハンドルフラップセクション７０を含む。第１のハンドルフラップセクション６０は、第１の仕切りフラップ８０、第２の端部パネル３０及び第２の端部クロージャーフラップ１３０に隣接して位置決めされている。第１のハンドルフラップセクション６０は、横方向折り線３１と同一線上にある横方向折り線６１において第２の端部クロージャーフラップ１３０に折り曲げ可能に接続されている。第２のハンドルフラップセクション７０は、長手方向折り線６９において第１のフラップセクション６０に折り曲げ可能に接続されており、第２の仕切りフラップ１００、第４の端部パネル３４及び第４の端部クロージャーフラップ１３６に隣接して位置決めされている。第２のハンドルフラップセクション７０は、横方向折り線３５と同一線上にある横方向折り線７１において第４の端部クロージャーフラップ１３６に折り曲げ可能に接続されている。ハンドルフラップ５０は、長手方向折り線６３、７３においてそれぞれハンドルフラップセクション６０、７０の長手方向縁部に折り曲げ可能に接続されているグリップフラップ６４、７４を更に含む。グリップフラップ６４、７４は、それぞれ第４の仕切りフラップセグメント９４及び第９の仕切りフラップセグメント１１４に隣接して画成することができる。
【００３３】
図示の実施形態では、第１のハンドルフラップセクション６０及び第２のハンドルフラップセクション７０は、それぞれの斜めの切れ目線６２、７２によって第２の端部パネル３０及び第４の端部パネル３４から分離されている。第１のハンドルフラップセクション６０及び第１のグリップフラップ６４は、斜めの切れ目線６２から延在する波状の隙間又は切れ目線６５によって第３の仕切りフラップセグメント９０、第４の仕切りフラップセグメント９４及び第５の仕切りフラップセグメント９８から分離されている。第２のハンドルフラップセクション７０及び第２のグリップフラップ７４は、斜めの切れ目線７２から延在する波状の隙間又は切れ目線７５によって第８の仕切りフラップセグメント１１０、第９の仕切りフラップセグメント１１４及び第１０の仕切りフラップセグメント１１８から分離されている。横方向折り線８７、１０７と同一線上にあることができる横方向隙間又は切れ目線６７、７７が、第１のハンドルフラップセクション６０及び第２のハンドルフラップセクション７０をそれぞれ第２の仕切りフラップセグメント８６及び第７の仕切りフラップセグメント１０６から分離している。
【００３４】
ブランク１は、長手方向折り線３３において第２の端部パネル３０及び第２の端部クロージャーフラップ１３０の長手方向縁部に折り曲げ可能に接続されている端部補強フラップ１４０を含むことができる。端部補強フラップ１４０は、横方向折り線１４１と、折り線１４１と交わる矩形開口１４２とを含む。折り線１４１及び開口１４２は、端部補強フラップ１４０の長手方向中心領域に配置されている。開口１４２は、折り線１４１における端部補強フラップ１４０の折り曲げを容易にする。開口１４２は矩形形状を有するものとして示されているが、他の形状も可能である。
【００３５】
図１に示されるように、ブランク１は、第１のボトムフラップセクション１５２及び第２のボトムフラップセクション１５４を有するボトムフラップ１５０を含む。第１のボトムフラップセクション１５２は、長手方向折り線１６において第１のサイドパネル１０に折り曲げ可能に接続されている。第２のボトムフラップセクション１５４は、長手方向折り線１５３において第１のボトムフラップセクション１５２に折り曲げ可能に接続されている。Ｖ字形のノッチ１５５が、折り線１５３と位置合わせされてボトムフラップ１５０の第１の外側縁部に位置し、後述するように係止用タブ１２３、１２９と係合するように構成されている。
【００３６】
ボトムクロージャーフラップ１５６を、長手方向折り線４６において第２のサイドパネル４０に折り曲げ可能に接続することができる。ボトムクロージャーフラップ１５６は、後述するように、ボトムフラップ１５０に取り付けられてキャリア２００の底壁２４０（図１０）を形成するように構成されている。
【００３７】
ブランク１からキャリア２００を組み立てる例示的なプロセスが図２乃至図７に示されている。図２に示されるように、例示的な最初のステップでは、第１の仕切りフラップ８０の内面が第１のサイドパネル１０の内面、第１の端部パネル２０の内面、第２の端部パネル３０の内面及び第１の端部クロージャーフラップ１２０の内面に面した状態で、第１の仕切りフラップ８０が第１のサイドパネル１０、第１の端部パネル２０、第２の端部パネル３０及び第１の端部クロージャーフラップ１２０と部分的に重なるように、第１の仕切りフラップ８０を折り線１３に沿って内方へ折り曲げることができる。同様に、第２の仕切りフラップ１００の内面が第２のサイドパネル４０の内面、第３の端部パネル２４の内面、第４の端部パネル３４の内面及び第３の端部クロージャーフラップ１２６の内面に面した状態で、第２の仕切りフラップ１００が第２のサイドパネル４０、第３の端部パネル２４、第４の端部パネル３４及び第３の端部クロージャーフラップ１２６と部分的に重なるように、第２の仕切りフラップ１００を折り線４３に沿って折り曲げることができる。第３の仕切りフラップセグメント９０及び第８の仕切りフラップセグメント１１０は、接着剤又は他の取り付け手段を用いてそれぞれ第１のサイドパネル１０及び第２のサイドパネル４０に取り付けることができる。また、図３に示されるように、端部補強フラップ１４０が第２の端部パネル３０及び第２の端部クロージャーフラップ１３０と部分的に重なり、端部補強フラップ１４０の内面が第２の端部パネル３０の内面及び第２の端部クロージャーフラップ１３０の内面に面するように、端部補強フラップ１４０を折り線３３に沿って折り曲げることができる。端部補強フラップ１４０は、接着剤又は他の取り付け手段を用いて第２の端部パネル３０及び第２の端部クロージャーフラップ１３０に取り付けることができる。
【００３８】
図３に示されるような後続のステップにおいて、第１の仕切りフラップセグメント８２及び第２の仕切りフラップセグメント８６が第３の仕切りフラップセグメント９０及び第４の仕切りフラップセグメント９４と重なって第５の仕切りフラップセグメント９８と部分的に重なるように、第１の仕切りフラップ８０を折り線８７に沿って折り曲げることができる。この構成では、第１の仕切りフラップセグメント８２の外面及び第２の仕切りフラップセグメント８６の外面は、第３の仕切りフラップセグメント９０の外面、第４の仕切りフラップセグメント９４の外面及び第５の仕切りフラップセグメント９８の外面に面する。第２の仕切りフラップ１００は、第６の仕切りフラップセグメント１０２及び第７の仕切りフラップセグメント１０６が第８の仕切りフラップセグメント１１０及び第９の仕切りフラップセグメント１１４と重なり、第１０の仕切りフラップセグメント１１８と部分的に重なるように折り線１０７に沿って同様に折り曲げることができる。この構成では、第６の仕切りフラップセグメント１０２の外面及び第７の仕切りフラップセグメント１０６の外面は、第８の仕切りフラップセグメント１１０の外面、第９の仕切りフラップセグメント１１４の外面及び第１０の仕切りフラップセグメント１１８の外面に面する。第１の仕切りフラップセグメント８２は、接着剤又は他の取り付け手段を用いて第５の仕切りフラップセグメント９８のタブ９８ａに取り付けることができる。第６の仕切りフラップセグメントは、接着剤又は他の取り付け手段を用いて第１０の仕切りフラップセグメント１１８のタブ１１８ａに取り付けることができる。
【００３９】
次に、図４を参照すると、第１の端部パネル２０の内面及び第３の端部パネル２４の内面が第１のサイドパネル１０の内面及び第２のサイドパネル４０の内面に面した状態で、第１の端部パネル２０及び第３の端部パネル２４がそれぞれ第１のサイドパネル１０及び第２のサイドパネル４０と部分的に重なるように、ブランク１を折り線１１、４１において折り曲げることができる。その結果、第１の端部クロージャーフラップ１２０の内面が第１のサイドパネル１０の内面に面した状態で、第１の端部クロージャーフラップ１２０が第１のサイドパネル１０、第１の仕切りフラップ８０及び第１のハンドルフラップセクション６０と部分的に重なり、第３の端部クロージャーフラップ１２６の内面が第２のサイドパネル４０の内面に面した状態で、第３の端部クロージャーフラップ１２６が第２のサイドパネル４０、第２の仕切りフラップ１００及び第２のハンドルフラップセクション７０と部分的に重なる。接着剤又は他の取り付け手段を用いて、第１の端部クロージャーフラップ１２０を第１の仕切りフラップセグメント８２のタブ８２ａに取り付けることができ、第３の端部クロージャーフラップ１２６を第６の仕切りフラップセグメント１０２のタブ１０２ａに取り付けることができる。さらに、この構成では、第１の端部クロージャーフラップ１２０及び第３の端部クロージャーフラップ１２６の長手方向突起１２２、１２８がそれぞれ第１のハンドルフラップセクション６０及び第２のハンドルフラップセクション７０と部分的に重なり、突起１２２、１２８間の折り線１２１は第１のハンドルフラップセクション６０及び第２のハンドルフラップセクション７０間の折り線６９と位置合わせされる。突起１２２、１２８は、接着剤又は他の取り付け手段を用いてそれぞれ第１のハンドルフラップセクション６０及び第２のハンドルフラップセクション７０に取り付けることができる。
【００４０】
図４に示されるように、上記のようにブランクを折り線１１、４１に沿って折り曲げる前、折り曲げた後又は折り曲げるのと同時に、第２の端部クロージャーフラップ１３０及び第４の端部クロージャーフラップ１３６がそれぞれ第２の端部パネル３０及び第４の端部パネル３４並びにそれぞれ第５の仕切りフラップセグメント９８及び第１０の仕切りフラップセグメント１１８と部分的に重なり、第２の端部クロージャーフラップ１３０の内面及び第４の端部クロージャーフラップ１３６の内面が第２の端部パネル３０の内面及び第４の端部パネル３４の内面に面するように、ブランク１を折り線３１、３５に沿って折り曲げることができる。ブランク１をこのように折り曲げると、第２の端部クロージャーフラップ１３０及び第４の端部クロージャーフラップ１３６の長手方向突起１３２、１３８がそれぞれ第１のハンドルフラップセクション６０及び第２のハンドルフラップセクション７０と部分的に重なり、突起１３２、１３８間の折り線１３１が第１のハンドルフラップセクション６０及び第２のハンドルフラップセクション７０間の折り線６９と位置合わせされる。突起１３２、１３８は、接着剤又は他の取り付け手段を用いてそれぞれ第１のハンドルフラップセクション６０及び第２のハンドルフラップセクション７０に取り付けることができる。さらに、第２の端部クロージャーフラップ１３０及び第４の端部クロージャーフラップ１３６は、接着剤又は他の取り付け手段を用いてそれぞれ第５の仕切りフラップセグメント９８及び第１０の仕切りフラップセグメント１１８に取り付けることができる。
【００４１】
次に、図５及び図６に示されるように、ブランク１を折り線６９、１２１、１３１に沿って折り曲げて、第１のサイドパネル１０の外面、第２の端部パネル３０の外面、第１のハンドルフラップセクション６０の外面、グリップフラップ６４の外面及びボトムフラップ１５０の外面が露出している第１の面と、ボトムフラップ１５０の内面、並びに第２のサイドパネル４０の外面、第４の端部パネル３４の外面、第２のハンドルフラップセクション７０の外面、外側グリップフラップ７４の外面及びボトムクロージャーフラップ１５６の外面が露出している第２の面とを有する実質的に平面的な構造体にすることができる。
【００４２】
図５及び図６の構成では、ハンドルフラップセクション６０、７０の内面は互いに面し、突起１２２、１３２の外面はそれぞれ突起１２８、１３８の外面に面し、第１の端部パネル２０の外面及び第３の端部パネル２４の外面は互いに面し、第１の端部クロージャーフラップ１２０の外面及び第３の端部クロージャーフラップ１２６の外面は互いに面し、第２の端部クロージャーフラップ１３０の外面及び第４の端部クロージャーフラップ１３６の外面は互いに面する。突起１２２、１３２は接着剤又は他の取り付け手段を用いてそれぞれ突起１２８、１３８に取り付けることができる。第１のハンドルフラップセクション６０は、第１の端部クロージャーフラップ１２０及び第２の端部クロージャーフラップ１３０に接着によって又は他の方法で取り付けることができ、第２のハンドルフラップセクション７０は、第３の端部クロージャーフラップ１２６及び第４の端部クロージャーフラップ１３６に接着によって又は他の方法で取り付けることができる。さらに、第１の端部クロージャーフラップ１２０及び第２の端部クロージャーフラップ１３０は、それぞれ第３の端部クロージャーフラップ１２６及び第４の端部クロージャーフラップ１３６に接着によって又は他の方法で取り付けることができる。その結果、第１のハンドルフラップセクション６０及び第２のハンドルフラップセクション７０並びにグリップフラップ６４、７４は、突起１２２、１２８並びに第１の端部クロージャーフラップ１２０及び第３の端部クロージャーフラップ１２６によって支持される第１の端部と、突起１３２、１３８並びに第２の端部クロージャーフラップ１３０及び第４の端部クロージャーフラップ１３６によって支持される第２の端部とを有するハンドル２５０を形成する。
【００４３】
次に、図７に示されるように、第１のサイドパネル１０及び第２のサイドパネル４０が互いに対して実質的に平行に互いに対して間隔をあけた関係で延在し、第１の端部パネル２０及び第３の端部パネル２４が実質的に同一平面上にあり第１のサイドパネル１０及び第２のサイドパネル４０に対して実質的に垂直に延在して第１の端壁２２０を形成し、第２の端部パネル３０及び第４の端部パネル３４が実質的に同一平面上にあり第１のサイドパネル１０及び第２のサイドパネル４０に対して実質的に垂直に延在して第２の端壁２３０を形成するように、ブランク１を折り線１１、１２、２１、３１、２５、３５、４１、４２に沿って折り曲げることができる。
【００４４】
図７に示される折り曲げ動作の結果、ハンドル２５０及び端部クロージャーフラップ１２０、１２６、１３０、１３６は、第１の端壁２２０及び第２の端壁２３０に対して実質的に垂直に、かつ第１のサイドパネル１０及び第２のサイドパネル４０に対して実質的に平行に延在する。第１の端部クロージャーフラップ１２０及び第３の端部クロージャーフラップ１２６は、第１の端壁２２０及びハンドル２５０の第１の端部を支持する第１の端部支持壁２２２を形成し、第２の端部クロージャーフラップ１３０及び第４の端部クロージャーフラップ１３６は、第２の端壁２３０及びハンドル２５０の第２の端部を支持する第２の端部支持壁２３２を形成する。さらに、端部補強フラップ１４０は、第２の端部パネル３０及び第２の端部クロージャーフラップ１３０に隣接して延在し、それによって第２の端壁２３０及び第２の端部支持壁２３２を補強する。
【００４５】
図示の実施形態では、ブランク１を図７に示されるように折り曲げると、第１の端部クロージャーフラップ１２０に取り付けられている第１の仕切りフラップセグメント８２、並びに第１の仕切りフラップセグメント８２及び第２の端部クロージャーフラップ１３０に取り付けられている第５の仕切りフラップセグメント９８が、第１の端部クロージャーフラップ１２０及び第２の端部クロージャーフラップ１３０と実質的に同一平面上にくる。第２の仕切りフラップセグメント８６は、第２の仕切りフラップセグメント８６が第１の仕切りフラップセグメント８２及び第１のサイドパネル１０に対して実質的に垂直に延在するように、折り線８３、８４に沿って第１の仕切りフラップセグメント８２に対して折り曲がり、折り線８７に沿って第３の仕切りフラップセグメント９０に対して折り曲がる。第４の仕切りフラップセグメント９４は、第４の仕切りフラップセグメント９４が第５の仕切りフラップセグメント９８及び第１のサイドパネル１０に対して実質的に垂直に延在するように、折り線９５、９６に沿って第５の仕切りフラップセグメント９８に対して折り曲がり、折り線９１に沿って第３の仕切りフラップセグメント９０に対して折り曲がる。第７の仕切りフラップセグメント１０６は、第７の仕切りフラップセグメント１０６が第６の仕切りフラップセグメント１０２及び第２のサイドパネル４０に対して実質的に垂直に延在するように、折り線１０３、１０４に沿って第６の仕切りフラップセグメント１０２に対して折り曲がり、折り線１０７に沿って第８の仕切りフラップセグメント１１０に対して枢動する。第９の仕切りフラップセグメント１１４は、第９の仕切りフラップセグメント１１４が第１０の仕切りフラップセグメント１１８及び第２のサイドパネル４０に対して実質的に垂直に延在するように、折り線１１５、１１６に沿って第１０の仕切りフラップセグメント１１８に対して折り曲がり、折り線１１１に沿って第８の仕切りフラップセグメント１１０に対して折り曲がる。
【００４６】
次に、ボトムフラップ１５０及びボトムクロージャーフラップ１５６がサイドパネル１０、４０及び端壁２２０、２３０に対して実質的に垂直に延在する（図１０）ように、ボトムクロージャーフラップ１５６を折り線４６に沿って折り曲げることができ、ボトムフラップ１５０を折り線１６に沿って折り曲げてボトムクロージャーフラップ１５６と重ね合わせることができる。ノッチ１５５は、第１の端部クロージャーフラップ１２０及び第３の端部クロージャーフラップ１２６を折り曲げる結果としてその時点で互いに隣接して位置決めされているタブ１２３、１２９とロック係合してタブ１２３、１２９の下に位置決めすることができる。第２のボトムフラップセクション１５４は、ボトムクロージャーフラップ１５６に接着によって又は他の方法で取り付けることができる。したがって、ボトムフラップ１５０及びボトムクロージャーフラップ１５６は、構造体の底面を実質的に閉じる底壁２４０を形成する。
【００４７】
上述した例示的なプロセスが完了すると、キャリア２００は図８乃至図１１に示されるように形成される。図８及び図９に示されているように、キャリア２００は、第１のサイドパネル１０によって形成される第１の側壁と、第１のサイドパネル１０に対して実質的に平行に第１のサイドパネル１０に対して間隔をあけた関係で延在する第２のサイドパネル４０によって形成される第２の側壁とを含む。キャリア２００は、第１の端壁２２０と、第１の端壁２２０と対向して位置決めされる第２の端壁２３０とを含み、端壁２２０、２３０はともに、第１のサイドパネル１０及び第２のサイドパネル４０に対して実質的に垂直に延在する。キャリア２００は、サイドパネル１０、４０及び端壁２２０、２３０に対して実質的に垂直に延在するボトムパネル２４０（図１０）を更に含む。サイドパネル１０、４０及び端部パネル２２０、２３０の上方に開放上部２４４が形成される。端部支持壁２２２、２３２は、それぞれ端壁２２０、２３０から内方に、端壁２２０、２３０に対して実質的に垂直にかつサイドパネル１０、４０に対して実質的に平行に開放上部２４４の上に延在する。端部支持壁２２２、２３２は、第１のサイドパネル１０及び第２のサイドパネル４０の間の概ね半分のところに位置決めされる。ハンドル２５０は、第１のサイドパネル１０及び第２のサイドパネル４０間の概ね半分のところに位置決めされ、第１の端部支持壁２２２から第２の端部支持壁２３２まで、サイドパネル１０、４０に対して実質的に平行にかつ開放上部２４４の上に延在する。
【００４８】
図８及び図９に示されるように、第１の端部支持壁２２２及び第２の端部支持壁２３２、並びに第１の仕切りフラップセグメント８２、第５の仕切りフラップセグメント９８、第６の仕切りフラップセグメント１０２及び第１０の仕切りフラップセグメント１１８は相互接続され、第１の端壁２２０及び第２の端壁２３０間に、端壁２２０、２３０に対して実質的に垂直にかつ第１のサイドパネル１０及び第２のサイドパネル４０に対して実質的に平行に延在する中心仕切り壁２８０を形成するように構成される。第２の仕切りフラップセグメント８６及び第４の仕切りフラップセグメント９４は、第１のサイドパネル１０及び中心仕切り壁２８０間に、第１のサイドパネル１０及び中心仕切り壁２８０に対して実質的に垂直に延在する横断方向仕切り壁を形成する。第７の仕切りフラップセグメント１０６及び第９の仕切りフラップセグメント１１４は、第２のサイドパネル４０及び中心仕切り壁２８０間に、第２のサイドパネル４０及び中心仕切り壁２８０に対して実質的に垂直に延在する横断方向仕切り壁を形成する。
【００４９】
図示の実施形態では、中心仕切り壁２８０、横断方向仕切り壁８６、９４、第１の端壁２２０の端部パネル２０、第１のサイドパネル１０、第２の端壁２３０の端部パネル３０及びボトムパネル２４０はともに、キャリア２００の前側すなわち第１の側において容器Ｃ（図１１）を保持する第１の列Ｒ１の容器コンパートメント２９０、２９２、２９４を画成する。同様に、中心仕切り壁２８０、横断方向仕切り壁１０６、１１４、第１の端壁２２０の端部パネル２４、第２のサイドパネル４０、第２の端壁２３０の端部パネル３４及びボトムパネル２４０はともに、キャリア２００の後側すなわち第２の側において容器Ｃ（図１１）を保持する第２の列Ｒ２の容器コンパートメント２９６、２９８、３００を画成する。
【００５０】
図８乃至図１１及び説明の関連する部分から、キャリア２００は２×３構成で配置されている６つの容器コンパートメント２９０、２９２、２９４、２９６、２９８、３００を含み、ハンドル２５０を把持するユーザーによって運ばれるように構成されることを理解することができる。図８及び図９に示されるように、グリップフラップ６４、７４をそれぞれの折り線６３、７３に沿って方向Ｕに上方へ折り曲げ、ハンドルフラップセクション６０、７０に対して横断方向に延在させ、それによってハンドル２５０を快適に把持するための拡大した表面積を提供することができる。
【００５１】
図１１に示されるように、中心仕切り壁は、第１の列Ｒ１内の容器Ｃと第２の列Ｒ２内の対向する容器Ｃとの接触を防止するか又は制限する中心バリアーを提供する。対向する列Ｒ１、Ｒ２内の容器Ｃ間の接触を制限することによって、容器の損傷及び破損の可能性が少なくなり、これによって、容器Ｃ内に収容されている製品がキャリア２００の取り扱い中に無駄になる可能性が低減する。キャリア２００の構成は、カートンの重量を低く抑えながらも容器の改善された保護を達成する。
【００５２】
本明細書において示されているとともに説明されている実施形態は２×３構成で配置されている６つの容器コンパートメント２９０、２９２、２９４、２９６、２９８、３００を含むが、より多いか又はより少ないコンパートメントを提供するように変更することが可能であることを理解するべきである。例えば、各列Ｒ１、Ｒ２は、カートンに収容されることになる容器の数及びタイプに基づいて、仕切りフラップ及び／又は仕切りフラップセグメントの数を変えること、並びにブランク１のサイズを適切にスケーリングすることによって、任意の数の容器コンパートメントを形成するように構成することができる。
【００５３】
概して、ブランクは、通常の紙よりも重く硬質であるような厚さの板紙で構成され得る。ブランクは、厚紙等の他の材料、又はカートンが少なくとも概ね上述のように機能できるようにするのに適した特性を有する任意の他の材料で構成することもできる。ブランクは、例えばクレーコーティングでコーティングすることができる。続いて、クレーコート上に製品、広告、及び他の情報又は画像を印刷してもよい。続いて、ブランクに印刷されている情報を保護するために、ブランクをワニスでコーティングすることもできる。ブランクの片面又は両面を、例えば防湿層でコーティングしてもよい。ブランクは、選択されたパネル又はパネルセクションに１つ又は複数のシート状材料を積層又はコーティングすることもできる。
【００５４】
一例として、引き裂き線が、所望の脆弱線に沿って材料を部分的に貫通するスリット、並びに／又は所望の脆弱線に沿って材料を部分的に貫通する一連の離間したスリット及び／若しくは材料を完全に貫通する一連の離間したスリット、又はこれらの機能部の種々の組み合わせを含み得る。より具体的な例としては、１つのタイプの引き裂き線は、引き裂き線を挟んで材料を通常は一時的に接続するために刻み目（例えば、ブリッジにやや似た材料の小片）が間に画成されるように隣接するスリットをわずかに離間させた、材料を完全に貫通する一連の離間したスリットの形態である。刻み目は、引き裂き時に引き裂き線に沿って破断される。刻み目は通常、引き裂き線において比較的わずかな割合を占めるものであり、代替的に、引き裂き線が連続した切り込み線であるように刻み目を引き裂き線から省く、すなわち引き裂き線上で破っておくことができる。すなわち、引き裂き線のそれぞれを連続したスリット等で置き換えることは、本開示の範囲内にある。例えば、本開示から逸脱することなく、切れ目線は、連続したスリットであってもよく、又はスリットよりも広いものであってもよい。
【００５５】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の脆弱線に沿って材料に圧潰部分又は窪み部分を作る鈍いスコアリングナイフ等で形成される線等のスコア線、所望の脆弱線に沿って材料の厚さを部分的に貫通する切れ目、及び／若しくは所望の脆弱線に沿って材料を部分的に貫通する一連の切れ目及び／若しくは材料を完全に貫通する一連の切れ目、並びにこれらの機能部の種々の組み合わせを含む。切断を用いて折り線が作られる状況では、通常、切断は、賢明なユーザーでも誤って折り線を引き裂き線とみなす可能性があるほど大きすぎないものとする。
【００５６】
上記実施形態は、カートンの実施形態の組立て中に糊によって一緒に接着される１つ又は複数のパネルを有するものとして説明されている場合がある。「糊」という用語は、カートンパネルを所定位置に固定するのに一般的に用いられるあらゆる種類の接着剤を包含することが意図される。
【００５７】
本開示の上述の説明は、多様な例示的な実施形態を例示及び説明するものである。本開示の精神及び範囲から逸脱することなく、多様な追加、変更、変形等がこれらの例示的な実施形態に対してなされることができる。上記説明に含まれるか又は添付図面に示されている全ての事項は、例示目的であって限定的な意味ではないと解釈すべきであることが意図される。さらに、本開示は、本開示の選択された実施形態のみを示し、説明しているが、本開示は、多様な他の組み合わせ、変更、及び状況で用いることができ、本明細書で述べられているような発明概念の範囲内で変形又は変更を行うことができ、上記教示に相応し、及び／又は関連技術分野の技術若しくは知識内にある。さらに、各実施形態の特定の機能及び特徴を、選択的に置き換えて、本開示の他の説明された実施形態及び説明されていない実施形態に適用することができる。
【図１】
0005410609.tif 000002
【図２】
0005410609.tif 000003
【図３】
0005410609.tif 000004
【図４】
0005410609.tif 000005
【図５】
0005410609.tif 000006
【図６】
0005410609.tif 000007
【図７】
0005410609.tif 000008
【図８】
0005410609.tif 000009
【図９】
0005410609.tif 000010
【図１０】
0005410609.tif 000011
【図１１】
0005410609.tif 000012